【手続補正書】
【提出日】平成28年8月22日(2016.8.22)
【手続補正１】
【補正対象書類名】特許請求の範囲
【補正対象項目名】請求項１
【補正方法】変更
【補正の内容】
【請求項１】
縦方向及びそれに直交する横方向と、肌対向面及びその反対側に位置する非肌対向面とを有し、前後ウエスト域の一方である第１ウエスト域と他方である第２ウエスト域と、前記第１及び第２ウエスト域の間に位置するクロッチ域とを含み、前記第１及び第２ウエスト域において前記縦方向へ延びる側縁部どうしが連結されており、前記第１ウエスト域の前記非肌対向面側に取り付けられたテープファスナとを含む使い捨てのパンツ型着用物品において、
前記テープファスナは、繊維不織布製の基材シートによって形成され、前記非肌対向面側に位置する固定部と、少なくとも１つの折曲部位によって折り畳まれた自由部と、折り畳まれた状態における長さ方向と、それに直交し、かつ、前記縦方向とほぼ並行に延びる幅方向と、前記幅方向において対向する両側縁部と、前記固定部と前記自由部とを剥離可能に部分的に固定する少なくとも１つの仮止め部とを有し、
前記仮止め部は、前記両側縁部のうちの少なくとも一方側縁部には配置されておらず、前記一方側縁部において重ねられた部分は接合されていないことを特徴とするパンツ型着用物品。
【手続補正２】
【補正対象書類名】特許請求の範囲
【補正対象項目名】請求項２
【補正方法】変更
【補正の内容】
【請求項２】
前記基材シートは、熱可塑性の合成繊維を含む繊維不織布から形成されており、前記仮止め部において剥離可能に固定されている請求項１に記載のパンツ型着用物品。
【手続補正３】
【補正対象書類名】特許請求の範囲
【補正対象項目名】請求項３
【補正方法】変更
【補正の内容】
【請求項３】
前記自由部は、前記非肌対向面に止着可能な止着域を有し、前記止着域は前記固定部と対向する面に位置し、かつ、フック要素を有するフックシートから形成されており、折り畳まれた状態における前記テープファスナの前記両側縁どうしが近づく方向のＫＥＳ曲げ剛性値は、０．５６〜１．８ｇｆ・ｃｍ２／ｃｍである請求項１又は２に記載のパンツ型着用物品。
【手続補正４】
【補正対象書類名】特許請求の範囲
【補正対象項目名】請求項４
【補正方法】変更
【補正の内容】
【請求項４】
前記テープファスナの折り畳まれた状態における、前記止着域を除く部分の前記テープファスナどうしが近づく方向のＫＥＳ曲げ剛性値が０．０４〜０．４４ｇｆ・ｃｍ２／ｃｍ以である請求項１又は２に記載のパンツ型着用物品。
【手続補正５】
【補正対象書類名】特許請求の範囲
【補正対象項目名】請求項５
【補正方法】変更
【補正の内容】
【請求項５】
前記テープファスナは、前記固定部に連なる第１自由部と、厚さ方向において前記第１自由部に重ねられる第２自由部とをさらに有し、前記固定部、前記第１及び第２自由部が前記長さ方向において離間する第１及び第２仮止め部によって仮止めされており、前記第１及び第２仮止め部は前記幅方向において離間する一対のドット状を有する請求項１〜４のいずれかに記載のパンツ型着用物品。
【手続補正６】
【補正対象書類名】特許請求の範囲
【補正対象項目名】請求項６
【補正方法】変更
【補正の内容】
【請求項６】
前記仮止め部の面積が、折り畳まれた状態における前記テープファスナの表面積の０．５％以上であって、５．０％以下の大きさを有する請求項１〜５のいずれかに記載のパンツ型着用物品。
【手続補正７】
【補正対象書類名】特許請求の範囲
【補正対象項目名】請求項１１
【補正方法】変更
【補正の内容】
【請求項１１】
前記クロッチ域を中心として前記第１及び第２ウエスト域に延びる吸液性コアをさらに有し、前記テープファスナを展開した状態において、前記テープファスナが前記第１及び第２ウエスト域の前記側縁部どうしが連結されたサイドシームを跨いで、前記自由部の前記止着域が前記第２ウエスト域に位置する前記吸液性コアと平面視において重なって位置する請求項３〜９のいずれかに記載のパンツ型着用物品。
【手続補正８】
【補正対象書類名】明細書
【補正対象項目名】０００１
【補正方法】変更
【補正の内容】
【０００１】
本開示は、使い捨てのパンツ型着用物品、特に、主として廃棄用のテープファスナを備える使い捨てのパンツ型着用物品に関する。
【手続補正９】
【補正対象書類名】明細書
【補正対象項目名】０００８
【補正方法】変更
【補正の内容】
【０００８】
本発明の使い捨てのパンツ型着用物品は、前記テープファスナは、繊維不織布製の基材シートによって形成され、前記非肌対向面側に位置する固定部と、少なくとも１つの折曲部位によって折り畳まれた自由部と、折り畳まれた状態における長さ方向と、それに直交し、かつ、前記縦方向とほぼ並行に延びる幅方向と、前記幅方向において対向する両側縁部と、前記固定部と前記自由部とを剥離可能に部分的に固定する少なくとも１つの仮止め部とを有し、前記仮止め部は、前記両側縁部のうちの少なくとも一方側縁部には配置されておらず、前記一方側縁部において重ねられた部分は接合されていない。
【手続補正１０】
【補正対象書類名】明細書
【補正対象項目名】０００９
【補正方法】変更
【補正の内容】
【０００９】
本発明に係る使い捨てのパンツ型着用物品によれば、テープファスナの自由部が少なくとも一つの仮止め部によって仮止めされていることによって折り畳まれた状態が維持され、かつ、仮止め部は固定部と自由部とを部分的に剥離可能に固定するものであるから、テープファスナ全体が硬化せず、繊維不織布としての柔軟性を保持することができる。また、折り畳まれた状態におけるテープファスナの側縁部に仮止め部が位置してないことによって、側縁部は柔軟性を有し、それに着用者が間接的又は直接的に触れても、肌に刺激を与えることはない。
【手続補正１１】
【補正対象書類名】明細書
【補正対象項目名】００１１
【補正方法】変更
【補正の内容】
【００１１】
図１〜３を参照すると、本発明の第１実施形態に係る使い捨てのパンツ型着用物品の一例である使い捨ておむつ１０は、その幅寸法を二等分する縦軸Ｐ及びその長さ寸法を二等分する横軸Ｑと、縦軸Ｐに沿う縦方向Ｙ及び横軸Ｑに沿う横方向Ｘと、肌対向面及びそれに対向する非肌対向面とを有し、弾性のウエストパネル１１と、ウエストパネル１１の肌対向面側に取り付けられた吸液構造体１２とを含む。また、おむつ１０は、前ウエスト域（第１又は第２ウエスト域）１３と、後ウエスト域（第１又は第２ウエスト域）１４と、前後ウエスト域１３，１４間に位置するクロッチ域１５とを有し、後ウエスト域１４の両側部１９には、一対のテープファスナ１８が配置される。ここで、「後ウエスト域１４の両側部１９」とは、吸液構造体１２の両側縁と後ウエスト域１４の両外側縁１７ｃとの間に位置する領域をいう。テープファスナ１８は、パンツ型のおむつ１０においてサイズ調整用及び廃棄用に使用されるものであるから、後ウエスト域１４の横方向Ｘにおける両側部１９間に位置する中央部ではなく両側部１９に位置することが好ましい。また、テープファスナ１８は、後ウエスト域１４の一方側部１９にのみ配置されていてもよいし、後ウエスト域１４の側部１９ではなく、前ウエスト域１３の側部に配置されていてもよい。
【手続補正１２】
【補正対象書類名】明細書
【補正対象項目名】００２１
【補正方法】変更
【補正の内容】
【００２１】
テープファスナ１８を構成する基材シートは、従来公知の繊維不織布、好ましくは、ポリエチレン、ポリプロピレン、ポリエチレン等の熱融着性の合成繊維を含む繊維不織布から形成することができ、例えば、質量が約１５〜１００ｇ／ｍ２、好ましくは、３０〜８０ｇ／ｍ２のスパンボンド繊維不織布（ＳＢ繊維不織布）やＳＭＳ繊維不織布から形成することができる。本実施形態において基材シートは、１枚の繊維不織布から形成されているが、少なくとも一部において複数の同一種類又は複数種類の繊維不織布から形成してもよいし、固定部４１と自由部４２とが別々のシートから形成されていてもよいし、固定部４１，第１自由部５１及び第２自由部５２とが別々のシートから形成されていてもよい。被覆シート５３は基材シートよりも柔軟かつ肌触り良いシート材料であって、具体的には、例えば、質量約１０〜５０ｇ／ｍ２の（基材シートよりも単位面積当たりの質量の小さい）スパンボンド繊維不織布、ＳＭＳ繊維不織布やエアスルー繊維不織布から形成することができる。また、被覆シート５３はおむつ１０の外面を形成する外層シート２３，２４と同種類の繊維不織布から形成することが好ましい。このように、非展開状態におけるテープファスナ１８の外面の繊維不織布として、おむつ本体の外面に用いた不織布と同一のものを用いたり、同一若しくは互いに相似するエンボスパターンの不織布を用いたり、または、同一の色彩、同一又は互いに相似する模様、図柄を施したものを用いることによって、おむつ１０の外面に取り付けられたテープファスナ１８がおむつ本体と視覚的に一体感が得られ、おむつ本体に別体のテープファスナ１８を取り付けることによって生じる異物感を低減することができる。
【手続補正１３】
【補正対象書類名】明細書
【補正対象項目名】００４４
【補正方法】変更
【補正の内容】
【００４４】
以上に記載した本発明に関する開示は、少なくとも下記事項に整理することができる。
縦方向及びそれに直交する横方向と、肌対向面及びその反対側に位置する非肌対向面とを有し、前後ウエスト域の一方である第１ウエスト域と他方である第２ウエスト域と、前記第１及び第２ウエスト域の間に位置するクロッチ域とを含み、前記第１及び第２ウエスト域において前記縦方向へ延びる側縁部どうしが連結されており、前記第１ウエスト域の前記非肌対向面側に取り付けられたテープファスナとを含む使い捨てのパンツ型着用物品において、
前記テープファスナは、繊維不織布製の基材シートによって形成され、前記非肌対向面側に位置する固定部と、少なくとも１つの折曲部位によって折り畳まれた自由部と、折り畳まれた状態における長さ方向と、それに直交し、かつ、前記縦方向とほぼ並行に延びる幅方向と、前記幅方向において対向する両側縁部と、前記固定部と前記自由部とを剥離可能に部分的に固定する少なくとも１つの仮止め部とを有し、
前記仮止め部は、前記両側縁部のうちの少なくとも一方側縁部には配置されておらず、前記一方側縁部において重ねられた部分は接合されていない。
【手続補正１４】
【補正対象書類名】明細書
【補正対象項目名】００４５
【補正方法】変更
【補正の内容】
【００４５】
上記段落００４４に開示した本発明に係る使い捨てのパンツ型着用物品は、少なくとも下記の実施の形態を含むことができる。
（１）前記基材シートは、熱可塑性の合成繊維を含む繊維不織布から形成されており、前記仮止め部において剥離可能に固定されている。
（２）前記自由部は、前記非肌対向面に止着可能な止着域を有し、前記止着域は前記固定部と対向する面に位置し、かつ、フック要素を有するフックシートから形成されており、折り畳まれた状態における前記テープファスナの前記両側縁どうしが近づく方向のＫＥＳ曲げ剛性値は、０．５６〜１．８ｇｆ・ｃｍ２／ｃｍである
（３）前記テープファスナの折り畳まれた状態における、前記止着域を除く部分の前記テープファスナどうしが近づく方向のＫＥＳ曲げ剛性値が０．０４〜０．４４ｇｆ・ｃｍ２／ｃｍ以である。
（４）前記テープファスナは、前記固定部に連なる第１自由部と、厚さ方向において前記第１自由部に重ねられる第２自由部とをさらに有し、前記固定部、前記第１及び第２自由部が前記長さ方向において離間する第１及び第２仮止め部によって仮止めされており、前記第１及び第２仮止め部は前記幅方向において離間する一対のドット状を有する。
（５）前記仮止め部の面積が、折り畳まれた状態における前記テープファスナの表面積の０．５％以上であって、５．０％以下の大きさを有する。
（６）前記基材シートのうちの少なくとも一部が、複数の繊維不織布を接合することによって一体化される。
（７）前記自由部の外面には、前記基材シートとは別体の被覆シートが取り付けられており、前記被覆シートは、前記第１ウエスト域の外面を形成するシートよりも質量が低く、同一又は互いに相似するエンボスパターンが外面に付された繊維不織布から形成される。
（８）前記基材シートと前記被覆シートとの接合域は、前記長さ方向又は前記幅方向において所与寸法離間して位置する複数の接合部位から形成される。
（９）前記クロッチ域を中心として前記第１及び第２ウエスト域に延びる吸液性コアをさらに有し、前記テープファスナを展開した状態において、前記自由部の前記止着域が前記吸液性コアの側縁部と平面視において重なって位置する。
（１０）前記クロッチ域を中心として前記第１及び第２ウエスト域に延びる吸液性コアをさらに有し、前記テープファスナを展開した状態において、前記テープファスナが前記第１及び第２ウエスト域の前記側縁部どうしが連結されたサイドシームを跨いで、前記自由部の前記止着域が前記第２ウエスト域に位置する前記吸液性コアと平面視において重なって位置する。
【手続補正１５】
【補正対象書類名】明細書
【補正対象項目名】００４６
【補正方法】変更
【補正の内容】
【００４６】
１０  使い捨てのパンツ型着用物品（使い捨ておむつ）
１３  前ウエスト域（第１又は第２ウエスト域）
１４  後ウエスト域（第１又は第２ウエスト域）
１５  クロッチ域
１８  テープファスナ
４１  固定部
４２  自由部
４３，４４  折曲部位
５１  第１自由部
５２  第２自由部
５３  被覆シート
５４  カバー接合域
６１  第１仮止め部
６２  第２仮止め部
６４  止着域（フックシート）